(57)【特許請求の範囲】
【請求項１】
少なくとも１つのアクセスポイントを備え、少なくとも第１の移動局及び第２の移動局を備える無線部を有する通信ネットワーク内の通信方法において、
前記第１の移動局及び前記第２の移動局が前記アクセスポイントを介して通信に入る場合、前記アクセスポイントは、前記第１の移動局及び前記第２の移動局から構成され且つ前記第１の移動局が前記第２の移動局と直接通信する一時サブネットワークの作成メッセージを送出し、前記作成メッセージは、前記サブネットワーク形成以前の前記通信ネットワークの全体的なサービス品質の評価を含むことを特徴とする通信方法。
【請求項２】
前記第１の移動局は、前記一時サブネットワークの作成メッセージを受信する場合、アクセスポイント用のシグナリング情報の送信を停止し、ビーコン信号を送信することを特徴とする請求項１記載の方法。
【請求項３】
前記アクセスポイントが前記第２の移動局にハンドオーバーメッセージを送出することによる過程を更に含むことを特徴とする請求項１記載の方法。
【請求項４】
前記第１の移動局は、前記サブネットワーク作成メッセージに含まれるサービス品質の評価から、サブネットワーク形成後の通信ネットワークの全体的なサービス品質がサブネットワーク形成前の通信ネットワークの全体的なサービス品質よりも良好か否かを判定することを特徴とする請求項２記載の方法。
【請求項５】
請求項１記載の通信方法を実現する手段を備える通信ネットワーク。
【請求項６】
請求項１記載の通信方法を実現する手段を備えるデジタル信号処理装置。
【請求項７】
少なくとも第１の移動局及び第２の移動局を備える無線部を有する通信ネットワーク内のアクセスポイント装置において、
前記第１の移動局及び前記第２の移動局が前記アクセスポイント装置を介して通信に入る場合、前記第１の移動局及び前記第２の移動局から構成され且つ前記第１の移動局が前記第２の移動局と直接通信する一時サブネットワークの作成メッセージを送出する手段を備え、前記作成メッセージは、前記サブネットワーク形成以前の前記通信ネットワークの全体的なサービス品質の評価を含むことを特徴とするアクセスポイント装置。
【請求項８】
前記第２の移動局にハンドオーバーメッセージを送出する手段を更に備えることを特徴とする請求項７記載の装置。
【請求項９】
請求項７記載のアクセスポイント装置を備える通信ネットワーク。
【発明の詳細な説明】
【０００１】
本発明は、ネットワーク内の通信方法及びアクセスポイント装置に関するものである。
【０００２】
本発明は、無線ネットワークの分野におけるものである。
【０００３】
ＤＥＣＴ（Ｄｉｇｉｔａｌ Ｅｎｈａｎｃｅｄ Ｃｏｒｄｌｅｓｓ Ｔｅｌｅｃｏｍｍｕｎｉｃａｔｉｏｎｓ：デジタル・コードレス電気通信）標準によるネットワークなどの集中型構成を有する無線ローカルネットワークにおいては、２つの移動端末は機密通信を行うことが望まれている。
【０００４】
しかしながら、この構成では、全ての通信が基地局を経由する。従って、機密性はほとんど保たれない。
【０００５】
機密性を回復するため、接続される２つの移動端末間を直接リンクする新規のネットワークを形成することが知られている。ここでは、一方の移動端末は、通信期間中に属性変更し、基地局的挙動を取得する。
【０００６】
この従来技術の特徴は、有線ネットワークに接続された無線ネットワークに適用することであるが、移動局の数が基地局の数よりはるかに多い場合、全ての移動局は有線ネットワークで利用可能なスループットのごく一部を必要とする。
【０００７】
各移動局が利用可能なスループットのうちの大部分を使用可能でなければならないネットワークのアプリケーションに対しては、既知の方法は適切ではない。
【０００８】
本発明の目的は、この欠点を解消することである。
【０００９】
このため、本発明は、少なくとも１つのアクセスポイントを備え、少なくとも第１の移動局及び第２の移動局を備える無線部を有する通信ネットワーク内の通信方法において、前記第１の移動局及び前記第２の移動局が前記アクセスポイントを介して通信に入る場合、前記アクセスポイントは、前記第１の移動局及び前記第２の移動局から構成され且つ前記第１の移動局が前記第２の移動局と直接通信する一時サブネットワークの作成メッセージを送出し、前記作成メッセージは、前記サブネットワーク形成以前の前記通信ネットワークの全体的なサービス品質の評価を含むことを特徴とする通信方法を提供する。
【００１０】
従って、ネットワークの全体的なサービス品質を考慮に入れながら、２つの移動局がアクセスポイントを経由することなく直接通信可能とするために、一時サブネットワーク又は「子」ネットワークが形成される。
【００１１】
更に、アクセスポイントの負荷を軽減することにより、より良好なチャネル又はより良好な帯域幅を将来の通信に提供できる。加えて、２つの移動局間のリンクに使用されていたこれらのチャネル（４つ以上）を空き状態にできる。
【００１２】
特定の特徴によると、前記第１の移動局は、前記一時サブネットワークの作成メッセージを受信する場合、アクセスポイント用のシグナリング情報の送信を停止し、ビーコン信号を送信する。
【００１３】
特定の特徴によると、方法は、前記アクセスポイントが前記第２の移動局にハンドオーバーメッセージを送出することによる過程を更に含む。
【００１４】
特定の特徴によると、前記第１の移動局は、前記サブネットワーク作成メッセージに含まれるサービス品質の評価から、サブネットワーク形成後の通信ネットワークの全体的なサービス品質がサブネットワーク形成前の通信ネットワークの全体的なサービス品質よりも良好か否かを判定する。
【００１５】
これにより、ネットワークの全体的な品質を検出でき、修正がより良好な全体的なサービス品質に関する場合のみ、ネットワークトポロジを修正できる。
【００１６】
上述と同一の目的により、本発明は、少なくとも第１の移動局及び第２の移動局を備える無線部を有する通信ネットワーク内のアクセスポイント装置において、前記第１の移動局及び前記第２の移動局が前記アクセスポイント装置を介して通信に入る場合、前記第１の移動局及び前記第２の移動局から構成され且つ前記第１の移動局が前記第２の移動局と直接通信する一時サブネットワークの作成メッセージを送出する手段を備え、前記作成メッセージは、前記サブネットワーク形成以前の前記通信ネットワークの全体的なサービス品質の評価を含むことを特徴とするアクセスポイント装置を提供する。
【００２４】
本発明は上述の通信方法を実現する手段を備える電気通信ネットワークに関する。
【００２５】
また本発明は上述のアクセスポイント装置を備える電気通信ネットワークに関する。
【００２６】
本発明は上述の通信方法を実現する手段を備えるデジタル信号処理装置に関する。
【００２８】
また本発明は、
上述の通信方法を実現できるコンピュータプログラムの命令を記憶するコンピュータ又はマイクロプロセッサによって読み出されることが可能な情報記憶手段と、
部分的又は全体的に取り外し可能であり、上述の通信方法を実現できるコンピュータプログラムの命令を記憶するコンピュータ又はマイクロプロセッサによって読み出されることが可能な情報記憶手段とに関する。
【００２９】
また本発明は、上述の通信方法を実現するための一連の命令を含むコンピュータプログラムプロダクトに関する。
【００３０】
通信装置、それぞれ異なるマイクロコントローラ、それぞれ異なるＦＰＧＡ、それぞれ異なる移動局、それぞれ異なるアクセスポイント、それぞれ異なる電気通信ネットワーク、それぞれ異なるデジタル信号処理装置、それぞれ異なる記憶手段及びコンピュータプログラムプロダクトの特定の特徴及び利点は、本発明の通信方法の特定の特徴及び利点と同様であり、ここでは繰り返さない。
【００３１】
本発明のその他の面及び利点は、限定的な意味をもたない一例として示される特定の一実施形態の詳細な説明から明白になるであろう。以下、添付の図面を参照して説明を行う。
【００３２】
本発明は、少なくとも１つのアクセスポイントＡＰ１を備える有線部と、少なくとも第１の移動局及び第２の移動局であるＭＴａ及びＭＴｂを備える無線部とを有するハイブリッド通信網に適用される。図１に示すように、複数の基地局は高スループットの有線ネットワークで互いに接続される。図中、ＭＴ０及びＭＴ１は移動端末を表し、ＡＰ０、ＡＰ１及びＡＰ２は同一有線ネットワークに接続されるアクセスポイントを表している。
【００３３】
例えば非常に高画質のビデオ画像を送信可能にするために、移動局は高い割合のスループットを得ることができるのが望ましい。高スループットに対する要求とは、行政依存型の規制機関によって既に完全に決定された領域内で十分な帯域幅を得るために２．４ＧＨｚ又は５ＧＨｚなどの高いキャリア周波数を使用することを意味する。
【００３４】
マイクロウェーブ周波数の使用がアンテナの所定の能力に対する送信範囲の縮小を意味することは、当業者には知られている。
【００３５】
更に、経済上の理由及び環境保全のために、移動用の局を適当な大きさに維持可能とすること同様、アンテナの能力を比較的低く保つ必要がある。
【００３６】
その結果、従来のネットワークと比較して、同一区域内には限られた数の移動局と、それらとほぼ同数のアクセスポイントとが見られる。ＴＤＭＡ−ＦＤＭＡネットワークが、１つの基地局に対する移動局が少数の場合に最適な地理的適用範囲を可能にすることは当業者には知られている。
【００３７】
ＴＤＭＡ−ＦＤＭＡネットワーク内の各アクセスポイントは、一定数の周波数を介して時間窓（time window）内で信号を送受信する。（２つの移動局と通信するアクセスポイントが２つの場合に）同一時間窓内で隣接するキャリア周波数を使用することは、それぞれの窓内に存在する信号の干渉の原因となることもあり得る。
【００３８】
本発明の実現例は、ＴＤＭＡ−ＦＤＭＡ無線モジュールを駆動するマイクロコントローラ又はマイクロプロセッサで実行されても良いし、ＴＤＭＡ−ＦＤＭＡ無線モジュールを駆動するＦＰＧＡのワイヤードロジックを介して実行されても良い。
【００３９】
実行動作は、その実現例が基地局か移動端末かによって異なる。図１に示すように、移動端末と基地局とは、基地局が有線ネットワークをアクセスするポイントでもある点で異なる。
【００４０】
簡略化のため、ネットワークの各リンクは、ユーザデータ用のものとネットワーク管理に関するものとの２つのチャネルを有すると考える。これは、同一周波数の同一時間窓内において、ユーザ情報とネットワーク管理情報とが共存することを意味する。ここで考えられるシステムに対するメッセージは全てネットワーク管理チャネルを使用する。この情報は、ネットワーク全体に関する情報を含む場合はビーコン(beacon)情報と呼ばれ、端末のみに関する場合はシグナリング(signaling)情報と呼ばれる。
【００４１】
ビーコン情報及びシグナリング情報は、例えばＣＲＣ（Ｃｙｃｌｉｃ Ｒｅｄｕｎｄａｎｃｙ Ｃｈｅｃｋ）とデータとの連結などのエラー検出システムによりフォーマット化されることができる。
【００４２】
全二重伝送は、基地局に対する移動端末の通信に一定数の時間窓を使用し且つこれと同数の窓を移動端末に対する基地局の通信に使用することによって確保されるが、この選択肢には限定されない。本発明は非対称のネットワークにも拡張可能である。
【００４３】
ここでは、全ての基地局はアクセスポイントでもあるので、基地局から基地局への通信には有線ネットワークが使用される。
【００４４】
アクセスポイントは当業者には知られている乱数発生器を備える。
【００４５】
移動端末すなわちＭＴと同様、アクセスポイントすなわちＡＰは、その実現例が当業者には明らかであるタイマーを備える。
【００４６】
本発明は、移動端末から移動端末への通信（ＭＴ−ＭＴ型リンク）の処理に関し、この処理は、アクセスポイントを介した移動端末の無線ネットワークへの接続（ＭＴ−ＡＰ型リンク）を行う移動端末が利用可能な最大帯域幅を維持するために、ネットワークの新規トポロジ形成を系統的に試みることによって行われる。この新規トポロジ形成は、ネットワークを形成する全ての移動端末及びアクセスポイントが、サービス品質の改善により利益を得る場合のみ可能である。
【００４７】
図２は、図１に記載されたタイプのネットワーク構成要素の簡略化した構成を示している。
【００４８】
ネットワークの送受信機１００は、無線モジュール２００と、ユーザデータ管理モジュール２０及びネットワーク管理モジュール１０を含むデータ処理モジュール３００とを有する。この管理モジュールは、ビーコンチャネルを作成してシグナリングチャネルから情報を受信しても良く、又はシグナリング情報を作成してビーコンチャネルを受信しても良い。
【００４９】
無線モジュールは、ネットワーク管理モジュール１０によってプログラム可能な周波数合成器５０を含む。この周波数合成器は、混合器６０を用いて信号を変調又は復調できる。この信号は、
管理モジュール１０及び２０から出力される２値化信号を変調可能な信号に変換する無線送信機モジュール４０、又は
無線周波数信号を管理モジュール１０及び２０によって理解可能な２値化データに変換する無線受信機モジュール３０から送信されるものである。
【００５０】
アンテナ７０は外部とのインタフェースを提供する。
【００５１】
受信機モジュール３０は、管理モジュール１０に指示を送出するＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度指示器）３５を含む。
【００５２】
図３は、ネットワーク管理モジュール１０の可能な構成を示す。
【００５３】
これは、マイクロ計算器の従来の機能を用いて実現される。クロック３７０は、時間軸を有し、タイムアウトを作成できる。
【００５４】
ＲＡＭメモリ３８０は大量のデータを記憶することが可能であり、ＲＯＭメモリ３３０はプログラムの記憶を実行することが可能である。一方、中央処理装置３５０は、ＲＯＭ３３０又はＲＡＭ３８０に記憶される一定数の命令を順次実行できる。
【００５５】
ここで、変形例として、完全にソフトウェア形式で実行しても構わない乱数発生器３６０が必要とされる。無線モジュールインタフェース３４０は、周波数合成器５０を駆動できる。もちろん、考慮されるネットワークの構成要素がアクセスポイントの場合、有線ネットワーク又はケーブルネットワークとのインタフェース３２０と同様に、処理が組み込まれた他の機能を有するインタフェース３１０が存在しても良い。
【００５６】
ネットワークで使用される時間／周波数領域を示す図４に示す通り、ネットワークは、フレームが数個の時間窓を備え、各窓が信号送信のためのネットワーク構成要素に帰属できるように構成される。新規のフレーム毎に、所定のネットワーク構成要素は、接続が終了するまで系統的にその窓を使用する。
【００５７】
リンクで使用される各窓では、ユーザデータ情報と同様、ネットワーク管理情報が送信される。管理情報全体は数フレームを介して送信される。この群は「スーパーフレーム」と呼ばれる。
【００５８】
とられるべきリンクがない場合は、少なくとも１つの基地局がいずれかの窓内でビーコン信号を送信する。ビーコン信号は各スーパーフレーム内で繰り返される。ビーコン信号は、基地局が受信モードにある時間／周波数領域の全ての窓を識別する。このため、移動端末は自端末を同期化でき、スーパーフレームを監視した後、どの窓又は「スロット」が空き状態かを判定できる。
【００５９】
ビーコン情報は、システムが支援するサービスについての指示を特に有するネットワークのアイデンティティも含む。
【００６０】
本発明に係るアクセスポイントＡＰ１及び２つの移動局ＭＴａ及びＭＴｂとにより実行される一連の過程を図５及び図６に示す。これらの図面中、ＡＰ１の動作、ＭＴａの動作及びＭＴｂの動作は理解しやすいように対向して配置される。
【００６１】
図５に示すように、２つの移動局ＭＴａ及びＭＴｂが同一のアクセスポイントＡＰ１を介して通信状態となるとすぐに、ステップ１０１の処理を行う。
【００６２】
次に、ＡＰ１は乱数ＲＡ＿ＴＭＥを生成して記憶する。その後、タイムアウトは実行され（ステップ１０３）、経過時間ＴＭＥはステップ１０６で監視される。
【００６３】
この時間中に、ＡＰ１は、ネットワークの一構成要素である別のアクセスポイントＡＰｐからの要求を受信しても良い。この要求はハンドオーバー手順の一部を形成する。要求の受信は判断１０４で示される。過程又は判断１０３、１０４、１０５、１０６及び１０７は、２つのアクセスポイントが同時に管理不可能なハンドオーバー手順を行うことを回避することを目的とする。
【００６４】
ＲＡ＿ＴＭＥより短い時間の終了後に判断１０４が肯定になる場合、それは、ＡＰｐにより生成されるハンドオーバーが優先的に実行されることを意味する。その後、ＡＰ１は、ＡＰｐからハンドオーバー終了のメッセージを受信する（ステップ１０７）まで、ＡＰｐの要求に応答する（ステップ１０５）。
【００６５】
優先権を有する他のハンドオーバー信号が送出されないまま、又はＡＰｐにより生成されるハンドオーバーが終了した後で、時間ＲＡ＿ＴＭＥが終了したことが判断１０６で示される場合、ネットワークのトポロジの展開を、ＭＴｂに対するＭＴａの直接接続の確立のみに制限するために、ＡＰ１はハンドオーバー終了メッセージを同報通信する（ステップ１０８）。
【００６６】
同じステップ中に、「子」ネットワーク、すなわち、残存するネットワークと同一の性質及び特徴を受け継ぐネットワークの特定の分岐、の作成メッセージを、ＡＰ１はＭＴａに送出する。この「子」ネットワークにおいて、ＭＴａは、アクセスポイントを経由しないＭＴｂとの直接通信に入ることができる。このメッセージには、ＡＰ１とＭＴａとのリンクの局所的なサービス品質（ＱｏＳ）及びＡＰ１とＭＴｂとのリンクの局所的なＱｏＳと同様、子形成前のネットワークのＱｏＳの評価が含まれ、とられるべきリンクの数がさらに含まれる。ＱｏＳの値はとられるべきリンクの数によって正規化（すなわち除算）される。
【００６７】
次に、ＡＰ１は、Ｓ１ａで表す１つ以上の時間窓の使用を停止する。この時間窓内では、ＡＰ１はＭＴａ用のビーコン信号を送信していた。ＭＴａが実行するステップ１１５で説明するように、使用される複数の窓Ｓ１ａ、Ｓ１ｂ、Ｓ２ａ及びＳ２ｂは新規の移動局に対して空き状態とならない。窓Ｓ１ａ、Ｓ１ｂ、Ｓ２ａ及びＳ２ｂのみが使用される窓である場合、ＡＰ１が以前に使用されなかった窓にビーコン信号を生成することは明らかである。
なお、窓Ｓ１ａ、Ｓ１ｂ、Ｓ２ａ及びＳ２ｂについては、後述する図７の説明を参照されたい。
【００６８】
ステップ１１４で、ＭＴａは子作成メッセージを受信する。ＭＴａは、Ｓ２ａで示される１つ以上の時間窓内で送信していたシグナリング情報の送信を停止する。次に、窓Ｓ２ａ内で、ＭＴａは、ＭＴａをアクセスポイントとする接続の候補となる他の端末を回避するために、利用可能な窓がないことをそのメッセージで示すことを除いて、以前に受信していたものと同一のビーコン信号を送信する。これらの動作がステップ１１５を形成する。
【００６９】
一方、ＡＰ１は、ハンドオーバーメッセージをＭＴｂに送出し、その後１つ以上の時間窓Ｓ１ｂ内での送信を停止する（ステップ１０９）。
【００７０】
ＭＴｂは、スロットＳ１ａ及びＳ２ａのアドレスを含むこのメッセージを受信すると（判断１２０）、自局のシグナリング情報の送信とＭＴａからのビーコン信号の受信とを、これらのアドレスを使用してそれぞれ行う（ステップ１２１）。
【００７１】
さらに、ＡＰ１は、スロットＳ２ａが実際に移動局に使用されることを検証するために、Ｓ２ａを監視して（ステップ１１０）、タイムアウトＴＭＥ２を開始する（ステップ１１１）。ここでは、２スーパーフレーム分の時間の終了前にスロットが再び占有されることを検証し、占有されない場合、再びスロット制御を行う。
【００７２】
基地局ＭＴａは、形成したサブネットワークの成功を検証し続ける。この検証は、ＭＴａとＭＴｂの間のリンクのサービス品質の測定により実行される。ＡＰ１は、ハンドオーバー前のネットワークから得られるサービス品質の全般を検出してある。ネットワークの様々なリンクから得られる統計上の一連の演算を介して、ＡＰ１はこの情報を得ている。ハンドオーバー前には、総数又はこの一連の数はＡＰ１とＭＴａのリンク及びＡＰ１とＭＴｂのリンクを考慮に入れた。この総数はＭＴａに通信される。次に、ＡＰ１とＭＴａのリンク及びＡＰ１とＭＴｂのリンクは切断されるので、ＭＴａは、以前の参加リンクを取り除いて総数を修正する必要がある。
【００７３】
このため、形成時に送信された全体的な品質は、正規化された新規ＱｏＳからＡＰ１と２つの移動端末との間の局所的なＱｏＳの値を引いたものを、この全体的な品質に加算した値と比較される（検査１１６：ここでは、現在時間をｎＴとし、子形成前の進行時間を（ｎ−１）Ｔとする）。例えば、ビットレートを（任意に）優先しながら、送信電力を考慮して、あるリンクを介する１秒あたりのビット数として、サービス品質は規定できる。限定的な意味を持たない一例によると、サービス品質ＱｏＳは、以下の式の要素の重み付き加算として規定でき、その式は、ＱｏＳ ＝ （８０／１００） × （リンクで使用されるスループット／リンクで使用可能な全スループット） ＋ （２０／１００） × （１ − リンクで使用されるエネルギー／リンクで使用可能な全エネルギー）である。従って、スループットが零の場合、使用するエネルギーが大きいときは、ＱｏＳは低い。適度なエネルギーでスループットが高いときは、ＱｏＳはより良好である。
【００７４】
ネットワークの全体的なＱｏＳは、各リンクのＱｏＳの平均と等しくなるように選択される。
【００７５】
ＱｏＳを規定するその他の選択肢として、例えばファジィ集合又は閾値論理を使用できることは明らかである。
【００７６】
ネットワークの新規の全体的なＱｏＳが以前の全体的なＱｏＳよりも良好な場合、ハンドオーバーは成功であり、ＭＴａが行う動作の全ては継続する（ステップ１１８）。さもなければ、ＭＴａはスロットＳ２ａでの送信を停止する（図６のコネクタＢ１１７の後のステップ２０９）。
【００７７】
図６に示すように、２スーパーフレーム分の送信時間と同じ長さの時間、すなわち基地局ＭＴａが自局とＭＴｂの間のリンク品質の十分な統計を得るのに十分な時間内に（判断２０２）、ＡＰ１がＭＴａのビーコン信号停止を認識していない場合、ＡＰ１は、ハンドオーバーは成功していると考えてハンドオーバー終了のメッセージを送信する（ステップ２０３）。その後、ネットワークはトポロジの変更を得て、ＭＴａとＭＴｂとの接続時間中は継続する一時的な子を有してネットワークは継続する（ステップ２０４）。このため、ＡＰ１は、そのビーコン信号を、Ｓ１ｂ及びＳ２ｂで表される窓群を空き状態にする信号に修正する。ＡＰ１の負荷はその後低下するので、ＡＰ１は自局の品質指示器も修正する。
【００７８】
逆の場合には、ＡＰ１は、窓Ｓ１ａ内での信号の損失を待ち（ステップ２０５）、Ｓ１ａ及びＳ１ｂ内でビーコン信号を送信し、ＭＴａとＭＴｂとの接続再開を再び可能とする（ステップ２２５）。次に、ステップ２０６で、ＡＰ１はハンドオーバー終了の信号を送出する。例えば、そのときに、動作再開を回避するタイムアウトＴＭＥ３を生成しても良い。タイムアウトＴＭＥ３は、事前に定義された時間ｄｅａｄ＿ＴＭＥ前に、さもなければ新規ネットワークトポロジがハンドオーバーに関して得られる場合のみ（ステップ２０７）、動作再開を回避する。ＡＰ１は、ハンドオーバーが実行されなかったためにネットワークが以前のトポロジに戻っていることを示す、ＡＰ１の以前のパラメータを修正しない。処理はループを継続させる（コネクタＤ２０８）。
【００７９】
それと同時に、ＭＴａは、ＡＰ１からビーコン信号を受信し、１つ以上の窓Ｓ２ａを再び使用して２重接続を再開する（ステップ２１０）。処理はループを継続させる（図５のコネクタＥ１１３に対応するコネクタＥ２１１）。
【００８０】
ＭＴｂがスロットＳ２ａの消失を検出しない場合は（判断２１２）、通信は継続する（ステップ２１６）。逆の場合は、ＭＴｂは自局の送信用スロットＳ１ａの使用を停止する（ステップ２１３）。
【００８１】
ＭＴｂは、ＡＰ１からの信号をスロットＳ１ｂで再び受信する場合、スロットＳ２ｂを再び使用して全二重伝送を再開できる（ステップ２１４）。処理はループに入る（図５のコネクタＦ１１９に対応するコネクタＦ２１５）。
【００８２】
従って、本発明の効果によれば、有線及び無線のハイブリッドローカル通信網において、移動端末から移動端末への通信は、それが発生したときに、子形成がハイブリッドローカルネットワークＱｏＳ及び子ＱｏＳの双方を改善する場合、完全に無線である子ローカルネットワークを形成する。
【００８３】
図７から明らかなように、子形成前に、スロットＳ１ａ及びＳ２ａは、それぞれアクセスポイントＡＰ１から移動局ＭＴａへの通信及び移動局ＭＴａからアクセスポイントＡＰ１への通信に使用され、スロットＳ１ｂ及びＳ２ｂは、それぞれアクセスポイントＡＰ１から移動局ＭＴｂへの通信及び移動局ＭＴｂからアクセスポイントＡＰ１への通信に使用される。子形成後には、ＭＴａは、スロットＳ１ａ内でＭＴｂに送信を行い、ＭＴｂは、スロットＳ２ａ内でＭＴａに送信を行う。
【図面の簡単な説明】
【図１】ハイブリッド通信網の一例、すなわち有線部及び無線部を備える一例の本発明を実現する図である。
【図２】図１のネットワークにおける移動局又は基地局の本発明を実現する構成図である。
【図３】図１のネットワークにおける移動局又は基地局に含まれるネットワーク管理モジュールの構成図である。
【図４】図１のネットワーク通信で使用される時間／周波数領域を示す図である。
【図５】、
【図６】特定の実施形態において、本発明による通信方法の実現中にアクセスポイント及び２つの移動局によってそれぞれ実行される一連の過程を示すフローチャートである。
【図７】特定の実施形態において、本発明による通信方法を実現するアクセスポイント及び２つの移動局による時間窓又は「スロット」の使用を示す図である。
【図１】
0003787555.tif 000002
【図２】
0003787555.tif 000003
【図３】
0003787555.tif 000004
【図４】
0003787555.tif 000005
【図５】
0003787555.tif 000006
【図６】
0003787555.tif 000007
【図７】
0003787555.tif 000008